(57)【要約】【課題】洗浄水量の低減が可能でありながらも、排出性を向上し得る便器装置を提供する。【解決手段】ボウル部５の排水管部６に一端１１が接続され、他端１３の排水口１９が上方側を向く封水状態と下方側を向く排水状態とに切り替えられるトラップ管１０を設けた便器装置１であって、前記トラップ管は、周方向に見て山部１６と谷部１７とが長手方向に交互に設けられ、かつこれら山部及び谷部がスパイラル状に長手方向に一連状に設けられた蛇腹状筒部１４を有している。【選択図】図１
2016156186.tif 000002
【特許請求の範囲】
【請求項１】
ボウル部の排水管部に一端が接続され、他端の排水口が上方側を向く封水状態と下方側を向く排水状態とに切り替えられるトラップ管を設けた便器装置であって、
前記トラップ管は、周方向に見て山部と谷部とが長手方向に交互に設けられ、かつこれら山部及び谷部がスパイラル状に長手方向に一連状に設けられた蛇腹状筒部を有していることを特徴とする便器装置。
【請求項２】
請求項１において、
前記トラップ管は、前記蛇腹状筒部の内周面を周方向に見た状態における前記山部の頂部及び前記谷部の底部が、前記封水状態と前記排水状態とを変位する途中の水平状態において湾曲面形状となるように形成されていることを特徴とする便器装置。
【発明の詳細な説明】
【技術分野】
【０００１】
本発明は、便器装置に関する。
【背景技術】
【０００２】
従来より、便器装置には、封水のために排水径路を屈曲させてサイホン式等の種々のトラップ部が設けられている。このようなものでは、トラップ部を超えて汚物が搬送されるように比較的に多量の洗浄水が必要となる傾向があった。
例えば、下記特許文献１には、便器のボウルの排水管部に一端を接続し、他端の自由端側が上下方向に変位する蛇腹状の可動トラップホースを設けた水洗便器構造が開示されている。
【先行技術文献】
【特許文献】
【０００３】
【特許文献１】特開平１１−２１００５６号公報
【発明の概要】
【発明が解決しようとする課題】
【０００４】
しかしながら、上記のような可動トラップホースは、自由端側が上下動可能となるように蛇腹状とされているため、蛇腹状の凹部に汚物等が引っ掛かり易くなることが考えられる。
【０００５】
本発明は、上記実情に鑑みてなされたものであり、洗浄水量の低減が可能でありながらも、排出性を向上し得る便器装置を提供することを目的としている。
【課題を解決するための手段】
【０００６】
前記目的を達成するために、本発明に係る便器装置は、ボウル部の排水管部に一端が接続され、他端の排水口が上方側を向く封水状態と下方側を向く排水状態とに切り替えられるトラップ管を設けた便器装置であって、前記トラップ管は、周方向に見て山部と谷部とが長手方向に交互に設けられ、かつこれら山部及び谷部がスパイラル状に長手方向に一連状に設けられた蛇腹状筒部を有していることを特徴とする。
【発明の効果】
【０００７】
本発明に係る便器装置は、上述のような構成としたことで、洗浄水量の低減が可能でありながらも、排出性を向上させることができる。
【図面の簡単な説明】
【０００８】
【図１】本発明の一実施形態に係る便器装置の一例を模式的に示す一部を省略した概略縦断面図である。
【図２】（ａ）は、同便器装置に設けられるトラップ管の一例を模式的に示す一部を省略した概略平面図、（ｂ）は、（ａ）におけるＸ−Ｘ線矢視に対応させた概略縦断面図である。
【発明を実施するための形態】
【０００９】
以下に本発明の実施の形態について、図面に基づいて説明する。
図１及び図２は、本実施形態に係る便器装置を模式的に示す図である。
なお、以下の実施形態では、便器装置を設置した状態を基準として上下方向等の方向を説明する。
【００１０】
本実施形態に係る便器装置１は、図１に示すように、床等の設置面に設置される着座式のいわゆる洋式の便器装置とされている。
この便器装置１には、ボウル部（便鉢）５や、このボウル部５を囲むように設けられ、当該便器装置１の外郭を構成するスカート部２、便座や便蓋４を回転自在に支持する機構部等を覆う上ケース部３、給排水管に接続される給排水機構等が設けられている。
【００１１】
また、本実施形態では、便器装置１を、水洗タンク（ロータンク）を備えていない、いわゆるタンクレスタイプのものとした例を示している。なお、このような態様に代えて、水洗タンクを備えた構成としてもよい。また、この便器装置１に、便蓋４及び便座を開閉する開閉装置や、脱臭装置、局部洗浄装置、便座や局部洗浄用水等を温める加熱装置、洗剤供給装置等の各種機能装置や機能部材を設けた構成としてもよい。また、便器装置１に、人体検知センサや着座センサ等の各種センサを設けた構成としてもよく、上記した各種機能装置を操作する操作部としてのリモコン装置や、リモコン装置の各種信号の送受信を可能とする送受信装置等を設けた構成としてもよい。
【００１２】
ボウル部５は、上方に向けて開口し、上端には、図示を省略しているが、リム部が周方向に延びるように設けられている。このリム部に沿わせるように洗浄水を供給する給水機構を設けた構成としてもよい。例えば、このような給水機構としては、給水管（水道管）に接続され、開閉弁等が配された給水ラインの末端の給水口からリム部に向けて洗浄水を供給する構成とされたものとしてもよい。また、この洗浄水の供給は、便器装置１の適所に設けられた洗浄操作部等の操作によってなされるものとしてもよい。
また、すり鉢状とされたボウル部５の下部には、後方側に向けて延びるように排水管部６が設けられている。この排水管部６に、当該便器装置１の排水機構として、トラップ管１０の一端となる接続側端部１１を接続した構成としている。
【００１３】
トラップ管１０は、他端となる排水側端部１３の排水口１９が上方側を向く封水状態と下方側を向く排水状態とに切り替えられる構成とされている。つまり、この便器装置１は、排水機構のトラップ部を、いわゆるターントラップ式のものとしている。また、トラップ管１０は、略円筒形状とされており、図２（ｂ）に示すように、周方向に見て山部１６と谷部１７とが長手方向に交互に設けられた蛇腹状筒部１４を有している。なお、本実施形態では、トラップ管１０の軸心（筒中心）側に向けて突出する側を山部１６としている。つまり、トラップ管１０の径方向外側に向けて突出する部位は、谷部１７の外周面側となる。
便器装置１には、図１に示すように、このトラップ管１０を収容するトラップ収容室７が設けられている。このトラップ収容室７は、下水管等の外部排水管に接続される排水路８とボウル部５の排水管部６とを連通するように設けられている。
【００１４】
また、本実施形態では、図２（ａ）、（ｂ）に示すように、蛇腹状筒部１４の長手方向両端部に、蛇腹状ではない略円筒形状の接続側端部１１及び排水側端部１３を一体的に設けた構成としている。
接続側端部１１は、ボウル部５の排水管部６の端部を嵌め入れ可能とされている。この接続側端部１１は、排水管部６を嵌め入れた状態で、外周側を適宜の締め付けリングによって締め付けて排水管部６に取り付けられる構成とされたものとしてもよい。図例では、接続側端部１１に、排水管部６が嵌め入れられる部位よりも小径状となる小径部を設け、この小径部の段壁部に排水管部６の端面が当接される構成としている。また、この段壁部を、排水側端部１３側に向かうに従い小径状となるテーパー状とした例を示している。また、図例では、接続側端部１１に、トラップ収容室７を区画するトラップケースに固定される鍔状の固定部１２を設けた構成としている。
【００１５】
また、便器装置１には、トラップ管１０の排水側端部１３側を上下動させる駆動機構が設けられている。このような駆動機構としては、モーター等の回転駆動部によってアーム軸２１廻りに一端部が回転自在に保持され、他端部の連結部２２がトラップ管１０の排水側端部１３側に連結された駆動アーム２０を備えたものとしてもよい。
駆動アーム２０は、図示は省略しているが、トラップ管１０のアーム軸２１方向（便器幅方向）両側に位置するように対状に設けられている。
【００１６】
この駆動アーム２０の連結部２２は、トラップ管１０の排水側端部１３に直接的に連結するようにしてもよく、または、例えば、排水側端部１３の外周を囲むように設けられた金属製や硬質の合成樹脂製等のリング状部材に連結するようにしてもよい。図例では、駆動アーム２０の連結部２２を、アーム軸２１方向に見て、トラップ管１０の排水側端部１３の略筒中心に位置するように設けた例を示している。また、図例では、この駆動アーム２０の連結部２２が連結される排水側端部１３に、筒状部材１８を嵌め入れるように設けた構成としている。この筒状部材１８は、金属製や硬質の合成樹脂製等とされ、リング状部材の締め付け等による排水側端部１３の変形等を抑制する構成とされている。この筒状部材１８の開口がトラップ管１０の排水口１９を構成する。なお、排水側端部１３には、筒状部材１８のトラップ管１０長手方向への移動を抑制する段壁部が設けられている。また、この筒状部材１８は、排水側端部１３に嵌め入れ、外周側をリング状部材によって締め付けることで取り付けられるものとしてもよく、または、接着剤等を用いて取り付けられるものとしてもよい。
【００１７】
また、駆動アーム２０のアーム軸２１は、アーム軸２１方向に見て、トラップ管１０の長手方向途中部位に位置するように設けられている。図例では、アーム軸２１を、アーム軸２１方向に見て、トラップ管１０の長手方向略中央に位置するように設けた例を示している。また、図例では、アーム軸２１を、トラップ管１０の接続側端部１１の筒中心よりも僅かに高い位置となるように設けた例を示している。つまり、駆動アーム２０の長手方向を水平方向に沿わせた状態では、トラップ管１０が排水側端部１３に向かうに従い僅かに上るような傾斜状となる構成としている。なお、このような態様に代えて、アーム軸２１を、トラップ管１０の接続側端部１１の筒中心と同高さに位置するように設けたり、接続側端部１１の筒中心よりも僅かに低い位置となるように設けたりしてもよい。
【００１８】
上記のような構成により、駆動アーム２０を回転駆動部によって回転させれば、トラップ管１０は、その排水口１９が上方側を向いた封水状態と下方側を向いた排水状態とに変位する。つまり、図１に示すように、連結部２２がアーム軸２１よりも高い位置となるように駆動アーム２０を回転させた状態とすれば、トラップ管１０の排水口１９がボウル部５の排水管部６よりも上方側に位置し、封水が可能な封水状態となる。一方、連結部２２がアーム軸２１よりも低い位置となるように駆動アーム２０を回転させた状態とすれば、トラップ管１０の排水口１９が下側を向き、排水が可能な排水状態となる。なお、図例では、排水状態において、床側に向けて開口する排水路８に一部を挿入するように比較的にトラップ管１０が屈曲されるものとした例を示しているが、排水路８が壁側に向けて開口している場合には、僅かに下方側に向けて屈曲されるようなものとしてもよい。また、この駆動アーム２０の回転駆動は、排水及び封水が可能となるように、洗浄操作部の操作等によってなされる当該便器装置１の洗浄水の給水動作に連動するようになされる。
【００１９】
蛇腹状筒部１４は、上記のようにトラップ管１０が封水状態と排水状態とに変位可能となるように蛇腹状（ベローズ状）とされている。また、蛇腹状筒部１４は、全体に亘って略一様な厚さとされている。この蛇腹状筒部１４の厚さは、上記のようなトラップ管１０の排水側端部１３側の上下動の際における変形性や、損傷を抑制する観点等から適宜の厚さとしてもよい。
また、この蛇腹状筒部１４は、山部１６及び谷部１７をスパイラル状（螺旋状）に長手方向に一連状に設けた構成とされている。つまり、蛇腹状筒部１４を、互いに独立した閉環状の山部及び谷部を長手方向に交互に設けた構成とせずに、山部１６及び谷部１７のそれぞれを接続側端部１１側から排水側端部１３側に向けてスパイラル状に一連状に設けた構成としている。つまりは、蛇腹状筒部１４の長手方向に一連状に形成された山部１６は、蛇腹状筒部１４の長手方向に対して傾斜する方向に延びるような一連状の突条となる構成とされている。また、蛇腹状筒部１４の長手方向に一連状に形成された谷部１７は、蛇腹状筒部１４の長手方向に対して傾斜する方向に延びるような一連状の凹条（凹溝）となる構成とされている。
【００２０】
換言すれば、蛇腹状筒部１４の内周面を雌ねじ状、つまりは、外周面を雄ねじ状としている。
図例では、蛇腹状筒部１４の内周面を、左ねじに嵌り合う雌ねじ状とした例を示している。また、図例では、蛇腹状筒部１４の内周面を、一条ねじ状の左ねじに嵌り合う雌ねじ状とした例を示している。つまり、山部１６を構成する一本（一条）の突条及び谷部１７を構成する一本（一条）の凹条を、接続側端部１１側から排水側端部１３側に向けてスパイラル状に一連状に設けた構成としている。なお、このような態様に代えて、蛇腹状筒部１４の内周面を、多条ねじ状の左ねじに嵌り合う雌ねじ状としたり、右ねじに嵌り合う雌ねじ状としたりしてもよい。また、蛇腹状筒部１４の長手方向に対する、これら山部１６及び谷部１７の延びる方向の角度（リード角状の角度）は、トラップ管１０の排水側端部１３側の上下動の際における変形性の観点や、排出性の観点等から適宜の角度としてもよい。
【００２１】
また、山部１６の径方向に沿う高さ寸法及び谷部１７の径方向に沿う深さ寸法を、蛇腹状筒部１４の長手方向の全体に亘って略同一としている。つまり、図２に示すように、接続側端部１１の筒中心と排水側端部１３の筒中心とが略同高さに位置し、トラップ管１０の長手方向を略水平方向に沿わせた自然状態（水平状態）では、蛇腹状筒部１４の最小内径となる山部１６の内周面側の頂部１６ａが互いに略同一円筒面状となる。また、トラップ管１０がこの自然状態では、蛇腹状筒部１４の最大外径となる谷部１７の底部１７ａの外周面側が互いに略同一円筒面状となる。また、自然状態では、蛇腹状筒部１４の内周面を周方向に見た状態における山部１６を構成する両傾斜面１５，１５のなす角及び谷部１７を構成する両傾斜面１５，１５のなす角が蛇腹状筒部１４の長手方向の全体に亘って略同一となる。なお、図例では、自然状態とされた蛇腹状筒部１４の内周面を周方向に見た状態における山部１６を構成する両傾斜面１５，１５のなす角及び谷部１７を構成する両傾斜面１５，１５のなす角を、鈍角とした例を示しているが、直角や鋭角としてもよい。
【００２２】
また、本実施形態では、周方向に見た状態における各傾斜面１５，１５の傾斜方向に沿う寸法を、互いに略同一とした例を示している。なお、このような態様に代えて、例えば、山部１６を構成する両傾斜面１５，１５のうちの一方側の傾斜面１５の周方向に見た状態における傾斜方向に沿う寸法を、他方側の傾斜面１５の周方向に見た状態における傾斜方向に沿う寸法よりも大としたりしてもよい。
また、本実施形態では、この蛇腹状筒部１４の最小内径を、トラップ管１０自体の最小内径を構成するものとし、ボウル部５の排水管部６の内径及び筒状部材１８の内径よりも僅かに小径状としている。この蛇腹状筒部１４の最小内径は、ＪＩＳ  Ａ５２０７の排出試験において定められた直径４４ｍｍの球の通過が可能なように、４４ｍｍ以上としてもよい。
また、本実施形態では、蛇腹状筒部１４の最大外径を、鍔状の固定部１２を除いた部位の接続側端部１１及び排水側端部１３の外径よりも小径状としている。
【００２３】
また、本実施形態では、蛇腹状筒部１４の内周面を周方向に見た状態における山部１６の頂部１６ａ及び谷部１７の底部１７ａを、封水状態と排水状態とを変位する途中の水平状態（自然状態）において湾曲面形状としている。つまり、トラップ管１０が自然状態において、山部１６の頂部１６ａを周方向に見て筒中心側に凸の凸湾曲面形状とし、谷部１７の底部１７ａを周方向に見て筒中心側に凹の凹湾曲面形状としている。
これら山部１６の頂部１６ａ及び谷部１７の底部１７ａの曲率半径は、汚物等の引っ掛かり等を抑制する観点から適宜、設定するようにしてもよい。図例では、山部１６の頂部１６ａの曲率半径を、谷部１７の底部１７ａの曲率半径よりも大とした例を示している。
なお、トラップ管１０は、比較的に柔軟な材料、例えば、軟質合成樹脂系材料やゴム、各種エラストマー材料等から形成されたものとしてもよい。
【００２４】
本実施形態に係る便器装置１は、上述のような構成としたことで、洗浄水量の低減が可能でありながらも、排出性を向上させることができる。
つまり、ボウル部５の排水管部６に一端としての接続側端部１１が接続され、他端としての排水側端部１３側の排水口１９が上方側を向く封水状態と下方側を向く排水状態とに切り替えられるトラップ管１０を設けた構成としている。従って、例えば、汚物がトラップ部を超えるように比較的に高い水圧や多量の洗浄水が必要となるサイホン式等のトラップ部を設けたようなものと比べて、洗浄水量を低減することができ、また、排水音も小さくすることができる。
【００２５】
また、トラップ管１０を、山部１６及び谷部１７をスパイラル状に長手方向に一連状に設けた蛇腹状筒部１４を有した構成としている。従って、独立した閉環状の山部と谷部とを長手方向に交互に設けたようなものと比べて、スパイラル作用によって蛇腹状筒部１４の内周面への汚物や異物の付着や引っ掛かり等を効果的に抑制することができる。つまり、谷部１７が蛇腹状筒部１４の長手方向、つまりは排出方向に対して傾斜する方向に延びるような一連状の凹条（凹溝）となるので、排出方向に対して直交する閉環状の山部及び谷部を設けたものと比べて、排出性を向上させることができる。つまりは、谷部１７に汚物や異物が沈着したり、引っ掛かった場合にも、汚物や異物に対して排出側に水流を作用させることができ、汚物や異物を排出し易くすることができる。また、上記のように蛇腹状筒部１４をスパイラル状としたことで、封水状態や排水状態のように折り曲げられた際に潰れ難くもなり、保形性を向上させることもでき、排出性を効果的に向上させることができる。
【００２６】
また、本実施形態では、蛇腹状筒部１４の内周面を周方向に見た状態における山部１６の頂部１６ａ及び谷部１７の底部１７ａを、自然状態において湾曲面形状としている。従って、蛇腹状筒部１４の内周面への汚物の付着や引っ掛かり等をより効果的に抑制することができる。なお、このような態様に代えて、トラップ管１０の蛇腹状筒部１４の内周面を周方向に見た状態における山部１６の頂部１６ａ及び谷部１７の底部１７ａを、自然状態において角形状としてもよい。
【００２７】
また、上記した例では、トラップ管１０の蛇腹状筒部１４の長手方向両端部に、蛇腹状ではない接続側端部１１及び排水側端部１３を一体的に設けた例を示しているが、このような態様に限られない。蛇腹状ではない接続側端部１１及び排水側端部１３の一方または両方を設けないようにしてもよい。例えば、トラップ管１０を、全長に亘って蛇腹状筒部１４としてもよい。
また、上記した例では、トラップ管１０（蛇腹状筒部１４）を、略円筒形状とした例を示しているが、一部または全体を、略多角筒形状等としてもよい。
【符号の説明】
【００２８】
１      便器装置
５      ボウル部
６      排水管部
１０    トラップ管
１１    接続側端部（一端）
１３    排水側端部（他端）
１４    蛇腹状筒部
１６    山部
１６ａ  頂部
１７    谷部
１７ａ  底部
１９    排水口
【図１】
2016156186.tif 000003
【図２】
2016156186.tif 000004